(57)【要約】      （修正有）【課題】かご戸の開閉動作を正確に表示でき乗客へのサービスを向上できるエレベータ装置を提供する。【解決手段】乗かご１内に、かご戸３Ａ，３Ｂの戸開から戸閉に亘って点灯状態を変化させる戸開閉表示手段６Ｌ，７Ｌを設けた。  上記構成とすることで、かご戸３Ａ，３Ｂが現在どのような状況にあるかを点灯状態の変化で乗客が認識することができ、その結果、戸閉開始直前にかご戸３Ａ，３Ｂを横切ったり近づいたりすることを避けることができる。【選択図】図１
2006117423.tif 000002
【特許請求の範囲】
【請求項１】
乗かごの出入口を開閉するかご戸と、乗かご内に設置された操作盤とを備え、この操作盤に、行き先階を登録する行き先階登録ボタンと、閉じられている前記かご戸を強制的に開かせる戸開ボタンと、開かれている前記かご戸を強制的に閉じさせる戸閉ボタンとを設置し、これら各ボタンの操作により前記かご戸の通常開閉動作及び強制開閉動作を制御する制御装置と、この制御装置の指令に基づいて前記かご戸を駆動する戸駆動手段とを有するエレベータ装置において、前記乗かご内に、前記かご戸の戸開から戸閉に亘って点灯状態を変化させる戸開閉表示手段を設けたことを特徴とするエレベータ装置。
【請求項２】
前記戸開閉表示手段は、かご戸が静止時は連続点灯し、かご戸が戸閉動作中は点滅点灯するように構成されていることを特徴とする請求項1記載のエレベータ装置。
【請求項３】
前記戸開閉表示手段は、かご戸が戸閉動作中はかご戸の移動速度に同期して点滅点灯するように構成されていることを特徴とする請求項1又は２記載のエレベータ装置。
【請求項４】
前記戸開閉表示手段は、前記戸開ボタンと前記戸閉ボタンとの点灯状態を変化させることを特徴とする請求項１記載のエレベータ装置。
【請求項５】
前記戸開ボタンは、戸開動作開始から戸閉開始直前まで点灯させ、前記戸閉ボタンは、戸閉開始から戸開開始直前まで点灯させ、かつ前記戸閉ボタンは、かご戸の戸閉動作中は点滅点灯するように構成されていることを特徴とする請求項４記載のエレベータ装置。
【発明の詳細な説明】
【技術分野】
【０００１】
本発明はエレベータ装置に係り、特に、乗降客へのサービスを向上させたエレベータ装置に関する。
【背景技術】
【０００２】
一般にエレベータ装置は、かご戸が全開してから所定時間経過して自動的にかご戸を閉じるように構成されているので、健康な乗客にとってはサービスが低下している。そこで、健康な乗客に対しては、乗かご内に強制的にかご戸を閉じさせる戸閉ボタンが設置されており、これを押すことで所定時間経過前にかご戸を閉じることが行われている。
【０００３】
一方、身体の不自由な乗客にとっては、所定時間経過後いきなり戸閉が始まるので、かご戸にぶつかることがあり、特に、強制的にかご戸を閉じる場合には、極めて危険である。
【０００４】
このような危険を回避させるために、例えば特許文献１に示すように、戸閉に先立って戸開ボタンを点滅させる技術が既に提案されている。
【０００５】
【特許文献１】特開２００２−３３８１７７号公報
【発明の開示】
【発明が解決しようとする課題】
【０００６】
上記従来の技術は、戸開ボタンを点滅させているために、不慣れな乗客は、まだかご戸が開き続けるものと思い込んで降りようとした途端、いきなりかご戸が閉じてくるので、かご戸にぶつかって思わぬ怪我をする危険がある。
【０００７】
本発明の目的は、かご戸の開閉動作を正確に表示でき乗客へのサービスを向上できるエレベータ装置を提供することにある。
【課題を解決するための手段】
【０００８】
本発明は上記目的を達成するために、乗かご内に、かご戸の戸開から戸閉に亘って点灯状態を変化させる戸開閉表示手段を設けたのである。
【０００９】
上記構成とすることで、かご戸が現在どのような状況にあるかを点灯状態の変化で乗客が認識することができ、その結果、戸閉開始直前に乗かごから降りたりかご戸に近づくことを避けることができる。
【発明の効果】
【００１０】
以上説明したように本発明によれば、かご戸の現状を正確に乗客に伝えることができ、乗客はそれに合った動作を行うことができるので、サービスを向上できるエレベータ装置を得ることができる。
【発明を実施するための最良の形態】
【００１１】
以下本発明によるエレベータ装置の実施の形態を図１〜図２に示す車椅子対応エレベータ装置に基づいて説明する。
【００１２】
乗かご１には、出入口２を開閉するかご戸３Ａ，３Ｂが設けられており、これらかご戸３Ａ，３Ｂの近傍には、車椅子や身体に不自由な乗客が出入口２にいることを検出して戸閉動作を始めたかご戸３Ａ，３Ｂを開動作に反転させるための乗客検出装置（図示せず）が設置されている。
【００１３】
乗かご１内の出入口２の近傍には、視覚不自由者用の点字銘板が併設された操作盤４が設置されており、この操作盤４には、エレベータ装置が設置される建屋の階床数に応じた行き先階登録ボタン５と、着床時にかご戸３Ａ，３Ｂを強制的に開かせたり開状態を維持させたりするための戸開ボタン６と、かご戸３Ａ，３Ｂを強制的に閉じさせる戸閉ボタン７とが設けられている。
【００１４】
操作盤４の各ボタンからの信号は乗かご１に搭載した制御装置８に出力され、これらの信号は制御装置８の演算処理装置９で処理されて戸制御手段１０に出力される。戸制御手段１０は、演算処理装置９の指令に基づいて戸駆動手段１１を作動させて戸駆動機（図示せず）を駆動し、かご戸３Ａ，３Ｂの通常の開閉動作、強制開閉動作、開状態維持動作を行う。
【００１５】
さらに乗かご１内には、かご戸３Ａ，３Ｂの各動作を視覚不自由者に対して音声で案内するスピーカ１２が設置されている。
【００１６】
この外、乗場側にはかご呼びボタン１３が設置されており、このかご呼びボタン１３の信号は前記制御装置８に入力され、別置の制御装置（図示せず）を介して乗かご１を呼ぶように構成している。
【００１７】
一方、前記戸開ボタン６と前記戸閉ボタン７とには、戸開閉表示手段となる開ランプ６Ｌ及び閉ランプ７Ｌが内蔵されており、これらの開閉ランプ６Ｌ，７Ｌは、かご戸３Ａ，３Ｂの各動作に連動して点灯状態を変化させるように、制御装置８から出力された点灯信号に基づいて点灯回路１４が駆動され、この点灯回路１４の駆動により前記開閉ランプ６Ｌ，７Ｌが点灯状態を変化するように構成されている。
【００１８】
即ち、前記開閉ランプ６Ｌ，７Ｌは、図２に示すように、かご戸の各動作に連動して点灯状態を変化させている。詳しくは、かご戸３Ａ，３Ｂの通常時の開閉動作は、制御装置８に組み込まれたプログラムにしたがって戸閉から戸開動作に移り、所定時間戸全開後、戸閉動作に移って戸全閉となる。このとき、戸開ボタン６の開ランプ６Ｌは、戸開信号が入ると点灯し、戸開動作に入ると、点滅点灯に変わる。この点滅点灯を、かご戸３Ａ，３Ｂの戸開移動速度に応じて、例えば移動速度に同期して速くする。かご戸３Ａ，３Ｂが全開すると、開ランプ６Ｌは連続点灯に変わり、戸閉信号が入るまで（戸閉開始直前まで）点灯する。戸閉信号が入ると、開ランプ６Ｌは消灯し、戸閉ボタン７の閉ランプ７Ｌが点灯する。その後、かご戸３Ａ，３Ｂが戸閉動作に入ると、戸閉速度に応じた点滅点灯に変わり、かご戸３Ａ，３Ｂが全閉すると、閉ランプ７Ｌは連続点灯に変わり、所定時間経過後消灯する。所定時間経過前に、戸開信号が入ると（戸開開始直前になると）、戸開ボタン６の開ランプ６Ｌは点灯し、上述の点灯状態を繰り返す。
【００１９】
次に、かご戸３Ａ，３Ｂの強制開閉動作の打ち、強制開動作は、かご戸３Ａ，３Ｂの戸閉動作中に、強制的に戸開させるために戸開ボタン６を押すと、その信号は破線のようになり、かご戸３Ａ，３Ｂも破線のようになって戸閉動作を中止する。そのとき、開ランプ６Ｌは、破線のように、再度連続点灯して消灯し、閉ランプ７Ｌは一旦点灯するが、破線で示すように、消灯して再度点灯する。そして、戸開ボタン６を押し続けることで、かご戸３Ａ，３Ｂは戸全開を継続する、所謂、開状態維持動作を行う。
【００２０】
また、かご戸３Ａ，３Ｂの強制開閉動作の打ち、強制閉動作は、かご戸３Ａ，３Ｂの戸開動作中に、強制的に戸閉させるために戸閉ボタン７を押すと、その信号は２点鎖線のようになり、かご戸３Ａ，３Ｂも２点鎖線のようになって戸開動作を中止し、戸閉動作する。そのとき、開ランプ６Ｌは即消灯して閉ランプ７Ｌが点灯して点滅を始める。
【００２１】
以上説明したように、かご戸３Ａ，３Ｂの各動作に連動して開ランプ６Ｌ及び閉ランプ７Ｌの点灯状態を変化させるようにしたので、乗客、特に、聴覚不自由者やお年よりに対してかご戸３Ａ，３Ｂの各動作の注意を傾注させることができ、その結果、かご戸３Ａ，３Ｂによる挟まれ事故やかご戸３Ａ，３Ｂとの衝突事故を未然に防止することができる。
【００２２】
ところで、上記実施の形態は、車椅子対応エレベータ装置を一例に説明したが、本発明はあらゆる型式のエレベータ装置に適用できるのは云うまでもない。さらに、本実施の形態においては、かご戸３Ａ，３Ｂの各動作に連動して点灯状態を変化させる開ランプ６Ｌ及び閉ランプ７Ｌとして、戸開ボタン６や戸閉ボタン７に内臓のランプを利用して経済的な戸開閉表示手段を得たが、専用のランプを設けて表示させるようにしてもよい。
【図面の簡単な説明】
【００２３】
【図１】本発明によるエレベータ装置の一実施の形態を示す概要説明図。
【図２】かご戸の動作と開閉ランプの点灯状態を示す線図。
【符号の説明】
【００２４】
１…乗かご、３Ａ，３Ｂ…かご戸、４…操作盤、５…行き先階登録ボタン、６…戸開ボタン、６Ｌ…開ランプ、７…戸閉ボタン、７Ｌ…閉ランプ、８…制御装置、１４…点灯回路。
【図１】
2006117423.tif 000003
【図２】
2006117423.tif 000004